(57)【要約】【課題】カード処理を行う際にクリーニングローラの設置位置を工夫する。【解決手段】カードＣを供給するカード供給手段３０と、カードＣを挟持搬送する一対のローラ４１，４２と、一対のローラ４１，４２を筒体４６内に収納した状態で回転する筒体回転機構部とを有し、カード供給手段３０から供給されたカードＣをその姿勢又は搬送方向を必要に応じて変更して搬送するカード搬送方向変更手段４０と、カード搬送方向変更手４０段から搬送されたカードＣに対して処理を行うカード処理手段（６０，７０）と、を備え、一対のローラ４１，４２のうち少なくとも一方のローラはクリーニングローラであることを特徴とするカード処理装置１０を提供する。【選択図】図１
2015153270.tif 000002
【特許請求の範囲】
【請求項１】
カードのクリーニング機能を有するカード処理装置において、
カードを供給するカード供給手段と、
前記カードを挟持搬送する一対のローラと、前記一対のローラを筒体内に収納した状態で回転する筒体回転機構部とを有し、前記カード供給手段から供給された前記カードをその姿勢又は搬送方向を変更して搬送するカード搬送方向変更手段と、
前記カード搬送方向変更手段から搬送された前記カードに対して処理を行うカード処理手段と、を備え、
前記一対のローラのうち少なくとも一方のローラはクリーニングローラであることを特徴とするカード処理装置。
【請求項２】
前記筒体回転機構部は、
前記筒体の一端側の外周部を回転自在に支持する３ヶ所以上の外周部支持部材と、
前記筒体の他端側の側面の外側中心部位に突出して取り付けられた中心軸と、
前記筒体を回転させる筒体回転駆動部と、
前記一対のローラのうちで駆動ローラ側を回転させるローラ回転駆動部と、
を備え、
前記筒体は、前記一対のローラの長手長と対応した長さに形成された略円筒形状の外周部を有し、且つ、一端側が開口された有底の中空円筒形状であり、内部に前記一対のローラを着脱自在に収納したことを特徴とする請求項１記載のカード処理装置。
【請求項３】
前記カード処理手段は、前記カードに画像情報を印刷する印刷手段及び前記カードに電子情報を記録するエンコード手段の少なくとも一方であることを特徴とする請求項１又は請求項２記載のカード処理装置。
【発明の詳細な説明】
【技術分野】
【０００１】
本発明は、カードに対し、画像情報の印刷処理や電子情報の記録処理などを行うカード処理装置に関する。
【背景技術】
【０００２】
カード時代の到来と共に各種のカードが多用されており、例えば、カードの表面に顔写真などの画像を印刷したＩＤカード（カード型身分証明書）とか、ＩＣメモリ付きのクレジットカードとか、バンクカードとか、各種のプリペイカードなどがある。
【０００３】
この種のカードを作成するにあたって、本出願人は先に、サーマルヘッドを加熱してインクリボンのインクを被記録媒体となるカード上に熱転写方式により画像情報などを印刷する熱転写印刷装置を提案している（例えば、特許文献１参照）。
【０００４】
更に、本出願人は先に、サーマルヘッドを加熱してインクリボンのインクを被記録媒体となる中間記録媒体上に熱転写した後に、中間記録媒体上に転写されたインク画像をカード上にヒートローラなどを用いた再転写方式により再転写するカード記録装置を提案している（例えば、特許文献２参照）。
【０００５】
まず、上記した特許文献１に開示された熱転写印刷装置では、ここでの図示を省略するものの、カードを積層したカードホッパーからカード供給ローラにより１枚ずつ供給されたカードは、クリーニングローラによりカードに付着した塵埃などをクリーニング（除去）した後に反転機に送られる。
【０００６】
上記した反転機は、この内部に設けた一対の搬送ローラによりカードを搬送すると共に、必要に応じてカードの表裏を反転したり、あるいは、カードの搬送方向を例えば略４５°又は略９０°方向変更できるように構成されている。
【０００７】
そして、反転機に送られたカードは、電子情報を記録をするエンコーダ部、又は、画像情報を印刷する印刷部、あるいはエンコーダ部で不良となったカードを排出する排出口のいずれかに選択的に搬送される。
【０００８】
この際、エンコーダ部では、磁気エンコーダでカード上に電子情報を磁気記録したり、ＩＣエンコーダでカードに内蔵されたＩＣに電子情報を記録している。
【０００９】
一方、印刷部は、周知の熱転写方式を適用している。
【００１０】
この後、電子情報の記録処理や画像情報の印刷処理が完了したカードは、カード排出部内のカードスタッカーに排出される。
【００１１】
次に、上記した特許文献２に開示されたカード記録装置では、ここでの図示を省略するものの、上記した特許文献１に記載された印刷部での熱転写方式に代えて再転写方式を適用している点のみが異なっている。
【先行技術文献】
【特許文献】
【００１２】
【特許文献１】特開２００７−３８４１２号公報
【特許文献２】特開２００２−３６２７５５号公報
【発明の概要】
【発明が解決しようとする課題】
【００１３】
ところで、特許文献１に開示された熱転写印刷装置、及び、特許文献２に開示されたカード記録装置では、共に、カードに付着した塵埃をクリーニングするためのクリーニングローラを、カード供給ローラと反転機との間に設置している。
【００１４】
一方、熱転写印刷装置及びカード記録装置において、大量のカードを処理するにあたって、カードに対して高速処理化が要求されている。また、装置の小型化及び低コスト化も要求されている。
【００１５】
上記した要求を達成するために、クリーニングローラの設置位置に注目した。
【００１６】
そこで、クリーニングローラの設置位置などを工夫することで、カードに対して高速処理化が可能で、且つ、装置の小型化及び低コスト化を達成できるカード処理装置を提供することを目的とする。
【課題を解決するための手段】
【００１７】
本発明は上記課題に鑑みてなされたものであり、カードのクリーニング機能を有するカード処理装置において、
カードを供給するカード供給手段と、
前記カードを挟持搬送する一対のローラと、該一対のローラを筒体内に収納した状態で回転する筒体回転機構部とを有し、前記カード供給手段から供給された前記カードをその姿勢又は搬送方向を必要に応じて変更して搬送するカード搬送方向変更手段と、
前記カード搬送方向変更手段から搬送された前記カードに対して処理を行うカード処理手段と、を備え、
前記一対のローラのうち少なくとも一方のローラはクリーニングローラであることを特徴とするカード処理装置を提供する。
【発明の効果】
【００１８】
本発明に係るカード処理装置によれば、カードに対して高速処理化が可能になる。また、カード処理装置の小型化及び低コスト化が可能になる。
【図面の簡単な説明】
【００１９】
【図１】本発明に係るカード処理装置の全体構成を示した構成図である。
【図２】図１に示した反転機構部を拡大して示した斜視図である。
【図３】（ａ），（ｂ），（ｃ），（ｄ）は図２に示した反転機構部を示した上面図，左側面図，正面図，右側面である。
【発明を実施するための形態】
【００２０】
以下に本発明に係るカード処理装置の一実施形態について、図１〜図３を参照して詳細に説明する。
【００２１】
図１は本発明に係るカード処理装置の全体構成を示している。
【００２２】
図１に示す如く、本発明に係るカード処理装置１０では、外観を形成する筐体１１が箱状に形成されている。
【００２３】
この筐体１１の上方部位には、ユーザが操作する操作パネル２０が設置されている。
【００２４】
また、筐体１１内には、カードＣを供給するカード供給手段３０と、カード供給手段３０から供給されたカードＣをその姿勢又は搬送方向を必要に応じて変更して搬送するカード搬送方向変更手段となる反転機構部４０と、カードＣに対して電子情報を記録し且つ電子情報が記録されたカードＣの良否を判断するエンコード手段６０と、カードＣに対して画像情報を印刷する印刷手段７０と、カードＣを排出するカード排出手段８０と、カード処理装置全体を制御する制御手段９０とが設置されている。
【００２５】
この際、エンコード手段６０及び印刷手段７０は、カードＣを処理するカード処理手段である。
【００２６】
ここで、上記した各手段について順を追って説明する。
【００２７】
まず、操作パネル２０には、詳細な図示を省略するが、片面印刷釦，両面印刷釦，エンコード釦，テンキー，アラーム表示部，液晶パネルなどが設けられている。
【００２８】
次に、カード供給手段３０は、カードＣを重力方向に沿って多数枚積層可能なカードホッパー３１が筐体１１内の右上方に設置されている。また、カードホッパー３１内に積層されたカードＣのうちで最下層のカードＣに接してカード供給ローラ３２が反時計方向に回転自在に設けられており、このカード供給ローラ３２よってカードＣが１枚ずつカード搬送方向の下流に向かって送られる。
【００２９】
次に、反転機構部（カード搬送方向変更手段）４０は、カード供給手段３０の下流に設置されており、この内部に一対のカード搬送ローラ４１，４２が回転自在に設置されている。
【００３０】
上記した一対のカード搬送ローラ４１，４２は両ローラ間でカードＣを挟持搬送しながらカードＣをエンコード手段６０と、エンコード手段６０で不良となったカードＣを排出する排出口６７と、印刷手段７０とに選択的に搬送するようになっている。
【００３１】
この際、反転機構部４０内の一対のカード搬送ローラ４１，４２は、少なくとも一方のローラがカードＣに付着した塵埃などをクリーニング（除去）するクリーニングローラとなっている。
【００３２】
これにより、先に先行文献１，２に記載されたような供給部と反転機との間に設置したクリーニングローラを省くことができるので、カード供給手段３０と反転機構部４０との間に設定されるカード搬送距離を短くすることができる。
【００３３】
また、反転機構部４０は、少なくとも一方のローラをクリーニングローラとした一対のカード搬送ローラ４１，４２を後述する筒体回転機構部の一部を構成する円筒体４６内に収納した状態で、円筒体４６が正逆転可能に設けられている。
【００３４】
これにより、反転機構部４０は、カードＣの表裏を略１８０°反転する機能と、カードＣの搬送方向を例えば略４５°又は略９０°方向変更する機能とを備えているので、カード搬送方向変更手段として構成されている。
【００３５】
この際、カード供給手段３０から供給されたカードＣは、反転機構部４０内の一対のカード搬送ローラ４１，４２間に水平な姿勢に保たれるように初期時に反転機構部４０の回転位置が制御手段９０を介して制御されている。
【００３６】
この反転機構部４０は本実施形態の要部となるものであるので後で詳述する。
【００３７】
次に、エンコード手段６０は、反転機構部４０の下方に設置されている。
【００３８】
従って、反転機構部４０内で水平姿勢に保たれたカードＣをエンコード手段６０に搬送する場合には、初期状態の反転機構部４０を時計回りに略９０°回転させて方向変換し、カードＣをエンコード手段６０に向けて略垂直な姿勢で搬送する。
【００３９】
上記したエンコード手段６０は、カードＣに対して電子情報を記録処理するものであり、カード処理手段の１種である。
【００４０】
このエンコード手段６０では、上側に設置された一対のカード搬送ローラ６１，６２と、下側に設置された一対のカード搬送ローラ６３，６４とがカードＣの搬送方向の両端を挟持できる程度の間隔を離して設置されている。
【００４１】
また、２対のカード搬送ローラ（６１，６２），（６３，６４）間には、カードＣ上に電子情報を磁気記録する磁気エンコーダ６５と、カードＣに内蔵されたＩＣに電子情報を記録するＩＣエンコーダ６６とが設置されている。
【００４２】
そして、エンコード手段６０により電子情報を記録されたカードＣは、その記録が正しくなされた場合、２対のカード搬送ローラ（６１，６２），（６３，６４）により再び反転機構部４０に搬送される。
【００４３】
この後、反転機構部４０はカードＣを今度は反時計回りに略９０°回転させて再び水平姿勢に戻している。
【００４４】
そして、反転機構部４０で水平姿勢に戻された正常なカードＣは、反転機構部４０内の一対のカード搬送ローラ４１，４２により印刷手段７０に搬送される。
【００４５】
一方、エンコード手段６０でカードＣに対して記録が正しくなされなかった場合は、そのカードＣを不良と判定し、反転機構部４０はカードＣを水平姿勢に対して右斜め下方に向かって略４５°傾斜させた排出口６７から排出できる角度位置で停止して、その不良のカードＣを排出口６７から排出している。
【００４６】
次に、印刷手段７０は、反転機構部４０の左方に設置されている。
【００４７】
従って、反転機構部４０内で水平姿勢に保たれたカードＣをそのまま印刷手段７０に送ることができる。
【００４８】
上記した印刷手段７０は、カードＣに対して画像情報を印刷処理するものであり、エンコード手段６０と同様にカード処理手段の１種である。
【００４９】
この印刷手段７０では、詳細な図示を省略するが、先に特許文献１に記載された熱転写方式、又は、先に特許文献２に記載された再転写方式などの周知の方法を適用して、カードＣ上に画像情報を熱転写又は再転写して印刷している。
【００５０】
この際、印刷手段７０でカードＣの両面に印刷する場合には、カードＣの表面を印刷した後にこのカードＣを反転機構部４０に戻して反転させ、カードＣの裏面を再び印刷手段７０で印刷すれば良い。
【００５１】
次に、カード排出手段８０は、印刷手段７０よりもカード搬送方向の下流に設置されている。
【００５２】
このカード排出手段８０では、一対のカード排出ローラ８１，８２と、カードスタッカー８３とを有している。
【００５３】
そして、電子情報の記録処理や画像情報の印刷処理が完了したカードＣは、一対のカード排出ローラ８１，８２により排出されてカードスタッカ−８３に積み込まれる。
【００５４】
次に、制御手段９０は、筐体１１内の適宜な位置に設置されている。この制御手段９０は、操作パネル２０，カード供給手段３０，反転機構部（カード搬送方向変更手段）４０，エンコード手段６０，印刷手段７０，カード排出手段８０や、不図示の各種のセンサなどカード処理装置全体を制御している。
【００５５】
また、制御手段９０は、外部のパソコンＰＣと接続されている。そして、パソコンＰＣ内で作成した電子情報や画像情報が制御手段９０を介してエンコード手段６０や印刷手段７０に送られる。
【００５６】
また、カード処理装置１０を操作する各種の情報は、操作パネル２０及びパソコンＰＣから入力可能になっている。
【００５７】
ここで、本実施形態の要部を構成するカード搬送方向変更手段となる反転機構部４０について、図２及び図３を用いて説明する。
【００５８】
図２及び図３は反転機構部を示している。
【００５９】
図２及び図３に示す如く、反転機構部（カード搬送方向変更手段）４０では、一対のカード搬送ローラ４１，４２がローラ収納箱４３内に回転自在に支持されていると共に、このローラ収納箱４３が後述する筒体回転機構部内に収納されている。
【００６０】
この際、一対のカード搬送ローラ４１，４２のうちでカード搬送ローラ４１は後述するローラ回転駆動部によって回転駆動される駆動ローラであり、一方、カード搬送ローラ４２は駆動ローラに従動する従動ローラである。
【００６１】
また、一対のカード搬送ローラ４１，４２は、少なくとも一方のローラが表面に粘着性を付与されたクリーニングローラである。そして、カードＣに付着した塵埃がクリーニングローラに転着するので、カードＣが清掃されてきれいになる。
【００６２】
本実施形態では、一対のカード搬送ローラ４１，４２が、共にクリーニングローラとなっている。
【００６３】
また、一対のカード搬送ローラ４１，４２のうち一方のローラのみをクリーニングローラとした場合には、クリーニングしたいカードＣの面がクリーニングローラと対向するように反転機構部４０の回転位置を制御手段９０を介して制御すれば良いものである。
【００６４】
また、図２及び図３（ａ）中に矢印で示した前後方向及び左右方向に対応して説明すると、上記したローラ収納箱４３は、底面４３ａと、前後の側面４３ｂ，４３ｃと、左右の側面４３ｄ，４３ｅとに囲まれて箱状に形成されており、且つ、底面４３ａと対向する上部（上面）が開口されている。
【００６５】
この際、ローラ収納箱４３の前後の側面４３ｂ，４３ｃは、一対のカード搬送ローラ４１，４２のローラ軸４１ａ，４２ａに沿って長尺に形成されている。
【００６６】
また、ローラ収納箱４３の左右の側面４３ｄ，４３ｅには、一対のカード搬送ローラ４１，４２のローラ軸４１ａ，４２ａが前後平行に軸支されている。
【００６７】
そして、ローラ収納箱４３の底面４３ａと対向した上部は、上方から一対のカード搬送ローラ４１，４２を臨めることができるように底面４３ａよりも面積が広く長方形状に開口されている。これにより、左右の側面４３ｄ，４３ｅは上辺が底辺よりも大きい逆台形状に形成されている。
【００６８】
また、ローラ収納箱４３の底面４３ａには、カードＣが進退するカード進退用孔４３ａ１が貫通して穿設されている。また、ローラ収納箱４３の前後の側面４３ｂ，４３ｃの上部に一対のガイド片４３ｂ１，４３ｃ１が一対のカード搬送ローラ４１，４２と平行で互に外側に向かって突出形成されている。
【００６９】
そして、一対のカード搬送ローラ４１，４２をローラ収納箱４３内に収納した状態で、このローラ収納箱４３が筐体１１（図１）内に立設した左右一対の固定板４４，４５間に回転自在に取り付けられた筒体回転機構部の一部を構成する円筒体４６内に着脱自在に装着されている。
【００７０】
上記した筒体回転機構部は、一対のカード搬送ローラ４１，４２の長手長と対応した長さで略円筒形状に形成された円筒体４６と、円筒体４６の一端側（左側面４６ｂ側）の外周部４６ａを回転自在に支持する３ヶ所以上の外周部支持部材４７と、円筒体４６の他端側の側面（右側面４６ｃ）の外側中心部位に取り付けられた中心軸５１と、円筒体４６を回転駆動させる後述の筒体回転駆動部（４６ｃ２，Ｇ１，Ｍ１）と、駆動側のカード搬送ローラ４１を回転駆動させる後述のローラ回転駆動部（Ｍ２，Ｇ２〜Ｇ５）とから構成されている。
【００７１】
ここで、筒体回転機構部について具体的に説明すると、円筒体４６は、外周部４６ａが略円筒形状に形成されており、且つ、左右の側面４６ｂ，４６ｃ間がローラ収納箱４３の左右の側面４３ｄ，４３ｅ間よりも長く長尺に形成されている。
【００７２】
また、円筒体４６の左側面４６ｂに開口孔４６ｂ１が有底孔として開口され、且つ、開口孔４６ｂ１の内部が右側面４６ｃに向かって中空部４６ｄとして形成されており、左側面４６ｂ側からローラ収納箱４３が中空部４６ｄ内に着脱自在になっている。
【００７３】
また、円筒体４６の右側面４６ｃは、駆動側のカード搬送ローラ４１のローラ軸４１ａを通すために形成された丸孔４６ｃ１を除いて閉じられているので、円筒体４６は有底の中空円筒形状に形成されている。
【００７４】
また、円筒体４６の中空部４６ｄの内面には、ローラ収納箱４３に形成した一対のガイド片４３ｂ１，４３ｃ１が着脱自在に嵌合する一対のコ字状ガイド溝４６ｄ１，４６ｄ２が略１８０°離れて互に対向して前後に分かれて一対のカード搬送ローラ４１，４２と平行に長尺に形成されている。
【００７５】
尚、ローラ収納箱４３を円筒体４６の中空部４６ｄ内に着脱自在に収納する際、前後方向は一対のガイド片４３ｂ１，４３ｃ１と一対のコ字状ガイド溝４６ｄ１，４６ｄ２とにより位置決めされるが、左右方向（奥行き方向）は不図示の位置決め手段により位置決めするか、又は、ローラ収納箱４３の右側面４３ｅを円筒体４６の開口孔４６ｂ１内の底部に付き当てて位置決めしている。
【００７６】
尚また、ローラ収納箱４３が円筒体４６内から抜け出すの防止するために不図示のロック機構が設けられている。更に、ローラ収納箱４３を円筒体４６内から人手により引き出す際に、ローラ収納箱４３の左側面４３ｄに不図示の取っ手を取り付ければより一層引き出し易くなる。
【００７７】
また、円筒体４６の外周部４６ａ上には、カードＣが進退する一対のカード進退用孔４６ａ１，４６ａ２が略１８０°離れて互に対向して貫通して形成されている。
【００７８】
また、円筒体４６の左側面４６ｂ側の外周部４６ａには、左側の固定板４４の内側に取り付けた外周部支持部材４７が外周部４６ａの円周に沿って略１２０°間隔で３個添接しており、これにより円筒体４６の左側面４６ｂ側の外周部４６ａが左側の固定板４４に回転自在に支持されている。
【００７９】
また、左側の固定板４４には丸孔４４ａが貫通して形成されており、この丸孔４４ａは円筒体４６の左側面４６ｂに形成した開口孔４６ｂ１よりも少し大径でローラ収納箱４３が通過できる径に設定されている。
【００８０】
この際、本実施形態では、円筒体４６の左側面４６ｂ側を左側の固定板４４に回転自在に支持するために、３個の外周部支持部材４７として３個のローラを用いて円筒体４６の左側面４６ｂ側の外周部４６ａに回転自在に添接させているが、これに限ることなく、３個の摩擦部材などを用いても良い。
【００８１】
また、外周部支持部材４７は、円筒体４６の左側面４６ｂ側の外周部４６ａに少なくとも３個以上添接させれば良い。
【００８２】
一方、円筒体４６の右側面４６ｃ側には、円筒体４６を回転駆動させる筒体回転駆動部（４６ｃ２，Ｇ１，Ｍ１）が設けられている。
【００８３】
この筒体回転駆動部では、円筒体４６の右側面４６ｃの外周部位にギア４６ｃ２が形成されており、このギア４６ｃ２に右側の固定板４５の内側に取り付けた第１モータＭ１の先端側のモータ軸に固着させた第１ギアＧ１が常時噛合している。
【００８４】
また、第１モータＭ１の後端側のモータ軸は、右側の固定板４５の外側に延出されており、この後端側のモータ軸に複数のスリットを形成したＦＧ板４８が固着されている。また、右側の固定板４５の外側には、ＦＧ板４８と対向して光透過型の光センサ４９がブラケット５０を介して取り付けられている。
【００８５】
そして、ＦＧ板４８に形成した不図示の基準スリット位置を基準にして、光センサ４９で検出したスリット数を制御手段９０で計数することで、円筒体４６の回転位置をパルス制御できるようになっている。この際、ＦＧ板４８に形成した不図示の基準スリット位置は、円筒体４６内でカード搬送ローラ４１，４２間にカードＣを水平な姿勢に保つことができる円筒体４６の初期位置（原点位置）と対応して設定されている。
【００８６】
また、円筒体４６の右側面４６ｃの外側中心部位には、中心軸５１が右側の固定板４５に向かって突出した状態で固着されており、この中心軸５１に第２ギアＧ２を軸着した上で、中心軸５１の右端部が右側の固定板４５に取り付けた軸受け５２を介して回転自在に支持されている。
【００８７】
上記により、円筒体４６は、第１モータＭ１の駆動力により右側面４６ｃ側が回転駆動され、且つ、左側面４６ｂ側は３個の外周部支持部材４７が添接しているので、左右一対の固定板４４，４５間に回転自在に支持されている。
【００８８】
更に、円筒体４６の右側面４６ｃ側には、駆動側のカード搬送ローラ４１を回転駆動させるローラ回転駆動部（Ｍ２，Ｇ２〜Ｇ５）が設けられている。
【００８９】
このローラ回転駆動部では、右側の固定板４５の外側に第２モータＭ２が取り付けられて、この第２モータＭ２の先端側のモータ軸が固定板４５の内側に進入して、この先端側のモータ軸に第３ギアＧ３が固着されている。
【００９０】
また、第３ギアＧ３は、右側の固定板４５の内側に取り付けた第４ギアＧ４に常時噛合している。また、第４ギアＧ４は、先に説明した円筒体４６の右側面４６ｃの中心軸５１に回転自在に軸着した第２ギアＧ２に常時噛合している。
【００９１】
また、第２ギアＧ２は駆動側のカード搬送ローラ４１のローラ軸４１ａの右端側に固着した第５ギアＧ５にも常時噛合している。
【００９２】
従って、一対のカード搬送ローラ４１，４２のうちで駆動側のカード搬送ローラ４１は、第２モータＭ２の駆動力により、ギアＧ３，Ｇ４，Ｇ２，Ｇ５を順に介して回転自在に駆動されている。
【００９３】
この際、反転機構部４０が所望の角度（４５°，９０°，１８０°）だけ回転しても、駆動側のカード搬送ローラ４１のモータ軸に固着させた第５ギアが円筒体４６の右側面４６ｃの中心軸５１に回転自在に軸着した第２ギアＧ２に常時噛合しているので、駆動側のカード搬送ローラ４１は何等の支障もなく回転できる。
【００９４】
上記のように構成した反転機構部４０は、制御手段９０を介して第１モータＭ１を始動して、円筒体４６を所望の角度（４５°，９０°，１８０°）まで回転するようにＦＧ板４８と光センサ４９とによりパルス制御している。
【００９５】
また、ローラ収納箱４３内に収納された一対のカード搬送ローラ４１，４２のうちで少なくとも一方のクリーニングローラに付着した塵埃を除去するときには、制御手段９０を介して第１，第２モータＭ１，Ｍ２を停止させる。
【００９６】
この後、ユーザが一対のカード搬送ローラ４１，４２を収納したローラ収納箱４３を円筒体４６の左側面４６ｂ側から外部に引き出して、一対のカード搬送ローラ４１，４２のうちクリーニングローラとされたローラを清掃（例えば水洗）することで、クリーニングローラに付着した塵埃を除去できる。
【００９７】
また、クリーニングローラの粘着性が落ちた場合にも、ローラ収納箱４３を円筒体４６内から引き出すことで、クリーニングローラの交換が可能になる。
【００９８】
従って、本実施形態では、先に先行文献１，２に記載されたように供給部と反転機との間にクリーニングローラを設置しなくても、反転機構部４０内で一対のカード搬送ローラ４１，４２のうちで少なくとも一方のローラをクリーニングローラとしている。
【００９９】
これにより、カード処理装置１０の機能や操作性を犠牲にすることなく、カード供給手段３０とカード搬送方向変更手段（反転機構部）４０との間に設定されるカード搬送距離を短縮できる。
【０１００】
この結果、カードＣに対して高速処理化が可能になると共に、カード処理装置１０の省スペース化を図ることができ、更に、カード処理装置１０の低コスト化を達成できる。
【０１０１】
また、少なくとも一方のローラをクリーニングローラとした一対のカード搬送ローラ４１，４２を筒体回転機構部内に着脱自在に設けているので、クリーニングローラの清掃や交換が可能となる。
【０１０２】
尚、以上詳述したカード処理装置１０において、本実施形態では、少なくとも一方のローラをクリーニングローラとした一対のカード搬送ローラ４１，４２がローラ収納箱４３を介して着脱自在になっている状態で円筒体４６内に収納された例について説明したが、これに限ることなく、少なくとも一方のローラをクリーニングローラとした一対のカード搬送ローラ４１，４２を円筒体４６内に直接収納することも可能である。
【符号の説明】
【０１０３】
１０…カード処理装置、１１…筐体、２０…操作パネル、
３０…カード供給手段、
４０…カード搬送方向変更手段（反転機構部）、
４１，４２…一対のカード搬送ローラ、４３…ローラ収納箱、４４，４５…固定板、
４６…円筒体、４６ａ…外周部、４６ａ１，４６ａ２…カード進退用孔、
４６ｂ…左側面、４６ｃ…右側面、４６ｃ２…ギア、４６ｄ…中空部、
４７…外周部支持部材、５１…中心軸、
６０…エンコード手段、７０…印刷手段、６０，７０…カード処理手段、
８０…カード排出手段、９０…制御手段、
Ｃ…カード、Ｇ１〜Ｇ５…第１〜第５ギア、Ｍ１，Ｍ２…第１，第２モータ、
４６ｃ２，Ｇ１，Ｍ１…筒体回転駆動部、Ｍ２，Ｇ２〜Ｇ５…ローラ回転駆動部、
４６，４７，５１，筒体回転駆動部，ローラ回転駆動部…筒体回転機構部。
【図１】
2015153270.tif 000003
【図２】
2015153270.tif 000004
【図３】
2015153270.tif 000005